(57)【要約】【課題】各水槽本体をスムーズに分離し易くすることで、良好な使い勝手を確保し、各係止片の周辺近傍の補強、水槽本体全体の耐久性向上を図ることで、長期に亘って一定の形状を維持しつつ連続して使用し続けることが可能なスタッキング式水槽を提供する。【解決手段】上部が開口４ａされ、内部に液状体を収容可能な水槽本体４を積み重ねた状態で保管および搬送することが可能なスタッキング式水槽であり、水槽本体には、外側面よりも出っ張らせた状態で延在させた補強用リブ４ｂと突出片４ｃが設けられ、これにより、複数の水槽本体を積み重ねた状態において、その上側の水槽本体の突出片が、下側に隣接する水槽本体の上部端面４ｔに当接するとともに、当該上側の水槽本体の補強用リブのみが、下側に隣接する水槽本体の内側面に当接する。【選択図】図１
0003185794.tif 000002
【実用新案登録請求の範囲】
【請求項１】
その上部が開口され、その内部に液状体を収容可能な水槽本体を備えており、
開口側から順次水槽本体を嵌め入れることで、複数の水槽本体を上下方向に沿って１列に積み重ねた状態で保管および搬送することが可能なスタッキング式水槽であって、
水槽本体には、その外側面よりも出っ張らせた状態で、当該外側面に沿って延在させた補強用リブが突設され、これにより、水槽本体全体の強度的な補強がされており、
補強用リブには、当該補強用リブよりも外方に向かって突出させた突出片が設けられ、これにより、複数の水槽本体を上下方向に沿って１列に積み重ねた状態において、
その上側の水槽本体の突出片が、下側に隣接する水槽本体の上部端面に当接するとともに、当該上側の水槽本体の補強用リブのみが、下側に隣接する水槽本体の内側面に当接することを特徴とするスタッキング式水槽。
【請求項２】
水槽本体は、所定形状の底面部と、底面部の周辺から連続して立ち上げられた側面部とを有し、底面部と側面部とで囲まれた領域の内部に液状体を収容可能に構成されており、
補強用リブは、水槽本体の底面部から側面部に亘る領域を、その外側から抱きかかえるように延在されていることを特徴とする請求項１に記載のスタッキング式水槽。
【請求項３】
補強用リブは、水槽本体の底面部から側面部に亘る領域に沿って、これを縦横に横断するように設けられていることを特徴とする請求項２に記載のスタッキング式水槽。
【請求項４】
補強用リブは、水槽本体の底面部から側面部に亘る領域に沿って、連続的または断続的に延在されていることを特徴とする請求項２または３に記載のスタッキング式水槽。
【請求項５】
突出片は、水槽本体の上部あるいはその近傍領域に沿って、開口を挟んでその両側に対向し、かつ、互いに平行な位置関係を成して設けられていることを特徴とする請求項１〜４のいずれかに記載のスタッキング式水槽。
【請求項６】
水槽本体において、底面部は、向かい合う２辺の長さが等しい矩形状を成しているとともに、側面部は、一対の短辺から連続して立ち上げられた一対の短辺側面部と、一対の長辺から連続して立ち上げられた一対の長辺側面部とを有しており、
一対の短辺側面部には、水槽本体の開口側から底面部に向けて延在させた少なくとも１つの補強用リブが突設されているとともに、
一対の長辺側面部には、水槽本体の開口側から底面部に向けて延在させた複数の補強用リブが所定間隔で互いに平行に突設されていることを特徴とする請求項２〜４のいずれかに記載のスタッキング式水槽。
【請求項７】
一対の短辺側面部に延在させた少なくとも１つの補強用リブは、これと同数の補強用リブを底面部に延在させることで、当該補強用リブを介して相互に連続していることを特徴とする請求項６に記載のスタッキング式水槽。
【請求項８】
一対の長辺側面部に延在させた複数の補強用リブは、これと同数の補強用リブを底面部に延在させることで、当該補強用リブを介して相互に連続していることを特徴とする請求項６に記載のスタッキング式水槽。
【考案の詳細な説明】
【技術分野】
【０００１】
本考案は、上下方向に積み重ねた状態で保管および搬送することが可能なスタッキング式水槽に関する。
【背景技術】
【０００２】
従来から、この種の水槽として、例えば土木工事現場において、排水の沈殿槽として用いられているものが知られている（例えば、特許文献１参照）。
その一例として、図４に示された水槽は、その上部が開口２ａされた矩形状の水槽本体２を備えており、開口２ａ側から順次水槽本体２を嵌め入れることで、複数の水槽本体２を上下方向に沿って１列に積み重ねることができるようになっている。なお、積み重ねられた各水槽本体２の嵌め入れ位置を決めるべく、各水槽本体２の上部両側には、外方に向かって突出させた係止片２ｂが設けられている。
【０００３】
これによれば、複数の水槽本体２を上下方向に積み重ねることで、多数の水槽を保管するためのスペースのコンパクト化を図ることができるとともに、土木工事現場に多数の水槽を搬入する場合でも、各水槽本体２を積み重ねた状態で搬送することで、いちどに多数の水槽をまとめて運び入れることができ、搬入時間の短縮を図ることができる。
【先行技術文献】
【特許文献】
【０００４】
【特許文献１】実開平４−６５７３７号公報
【考案の概要】
【考案が解決しようとする課題】
【０００５】
ところで、従来の水槽において、複数の水槽本体２を積み重ねた場合、上下方向に隣り合った上側の水槽本体２の外側面Ｓ１と、その下側に隣接する水槽本体２の内側面Ｓ２とは、その大部分に亘る領域が互いに接触した状態（すなわち、面接触状態）となる。そうなると、かかる面接触状態では、水槽本体２を分離する際、接触面積の大きさに応じた摩擦抵抗が生じ、その結果、各水槽本体２をスムーズに分離することが困難となり、使い勝手の悪いものとなっていた。
【０００６】
また、従来の水槽において、水槽本体２の一部を他の部分よりも局部的に突出させて各係止片２ｂを一体成形したり、当該係止片２ｂを水槽本体２に直接後付けしたりするだけで、当該各係止片２ｂの周辺近傍の強度については、その補強等について何ら考慮がされていない。そうなると、複数の水槽本体２を上下方向に積み重ねた状態において、上側に重なった各水槽本体２の総重量に対応した外力が各係止片２ｂに作用し、これにより、各係止片２ｂの近傍には応力が集中した場合、その応力の大きさの程度によっては、当該各係止片２ｂの近傍が早期に劣化し、その結果、当該水槽を長期に亘って連続して使用し続けることが困難になってしまう。
【０００７】
さらに、従来の水槽において、水槽本体２の肉厚（厚さ）は、その形状を維持するに必要な程度に設定されただけであり、当該水槽本体２全体の耐久性については、その向上について何ら考慮がされていない。そうなると、水槽本体２に投入される排水の量やその種類によっては、当該水槽本体２が変形したり、そして、その変形の程度によっては、当該水槽本体２が早期に劣化したりする場合が想定され、その結果、長期に亘って一定の形状を維持することが困難になってしまう。
【０００８】
本考案は、このような問題を解決するためになされており、その目的は、積み重ねられた各水槽本体相互の摩擦抵抗を低減し、各水槽本体をスムーズに分離し易くすることで、良好な使い勝手を確保するとともに、各係止片の周辺近傍の補強を図り、並びに、水槽本体全体の耐久性向上を図ることで、長期に亘って一定の形状を維持しつつ連続して使用し続けることが可能なスタッキング式水槽を提供することにある。
【課題を解決するための手段】
【０００９】
このような目的を達成するために、本考案は、その上部が開口され、その内部に液状体を収容可能な水槽本体を備えており、開口側から順次水槽本体を嵌め入れることで、複数の水槽本体を上下方向に沿って１列に積み重ねた状態で保管および搬送することが可能なスタッキング式水槽であって、水槽本体には、その外側面よりも出っ張らせた状態で、当該外側面に沿って延在させた補強用リブが突設され、これにより、水槽本体全体の強度的な補強がされており、補強用リブには、当該補強用リブよりも外方に向かって突出させた突出片が設けられ、これにより、複数の水槽本体を上下方向に沿って１列に積み重ねた状態において、その上側の水槽本体の突出片が、下側に隣接する水槽本体の上部端面に当接するとともに、当該上側の水槽本体の補強用リブのみが、下側に隣接する水槽本体の内側面に当接する。
本考案において、水槽本体は、所定形状の底面部と、底面部の周辺から連続して立ち上げられた側面部とを有し、底面部と側面部とで囲まれた領域の内部に液状体を収容可能に構成されており、補強用リブは、水槽本体の底面部から側面部に亘る領域を、その外側から抱きかかえるように延在されている。
本考案において、補強用リブは、水槽本体の底面部から側面部に亘る領域に沿って、これを縦横に横断するように設けられている。
本考案において、補強用リブは、水槽本体の底面部から側面部に亘る領域に沿って、連続的または断続的に延在されている。
本考案において、突出片は、水槽本体の上部あるいはその近傍領域に沿って、開口を挟んでその両側に対向し、かつ、互いに平行な位置関係を成して設けられている。
本考案では、水槽本体において、底面部は、向かい合う２辺の長さが等しい矩形状を成しているとともに、側面部は、一対の短辺から連続して立ち上げられた一対の短辺側面部と、一対の長辺から連続して立ち上げられた一対の長辺側面部とを有しており、一対の短辺側面部には、水槽本体の開口側から底面部に向けて延在させた少なくとも１つの補強用リブが突設されているとともに、一対の長辺側面部には、水槽本体の開口側から底面部に向けて延在させた複数の補強用リブが所定間隔で互いに平行に突設されている。
本考案において、一対の短辺側面部に延在させた少なくとも１つの補強用リブは、これと同数の補強用リブを底面部に延在させることで、当該補強用リブを介して相互に連続している。
本考案において、一対の長辺側面部に延在させた複数の補強用リブは、これと同数の補強用リブを底面部に延在させることで、当該補強用リブを介して相互に連続している。
【考案の効果】
【００１０】
本考案によれば、積み重ねられた各水槽本体相互の摩擦抵抗を低減し、各水槽本体をスムーズに分離し易くすることで、良好な使い勝手を確保するとともに、各係止片の周辺近傍の補強を図り、並びに、水槽本体全体の耐久性向上を図ることで、長期に亘って一定の形状を維持しつつ連続して使用し続けることが可能なスタッキング式水槽を実現することができる。
【図面の簡単な説明】
【００１１】
【図１】本考案の一実施形態に係るスタッキング式水槽の構成を示す斜視図。
【図２】図１に示されたスタッキング式水槽のＹ−Ｙ線に沿う断面図。
【図３】本考案の変形例に係るスタッキング式水槽の断面図。
【図４】従来のスタッキング式水槽の構成を示す断面図。
【考案を実施するための形態】
【００１２】
以下、本考案の一実施形態に係るスタッキング式水槽について、添付図面を参照して説明する。
なお、本実施形態に係るスタッキング式水槽としては、上下方向に積み重ねた状態で保管および搬送することが可能であって、例えば土木工事現場において、液状体としての排水の沈殿槽として用いられているものを想定する。
【００１３】
図１および図２に示すように、本実施形態のスタッキング式水槽は、その上部が開口４ａされ、その内部に液状体（排水）を収容可能な水槽本体４を備えており、開口４ａ側から順次水槽本体４を嵌め入れることで、複数の水槽本体４を上下方向に沿って１列に積み重ねた状態で保管および搬送することができるように構成されている。
【００１４】
なお、水槽本体４には、一例として、２つの接続孔４ｈが穿孔されており、一方の接続孔４ｈには、液状体（排水）を水槽本体４内に注入するための各種パイプ（図示しない）が接続され、また、他方の接続孔４ｈには、水槽本体４内で液状体（排水）を沈殿させた後における液状体（具体的には、上澄液）を排出するための各種パイプ（図示しない）が接続されるようになっている。
【００１５】
ここで、水槽本体４には、その外側面よりも出っ張らせた状態で、当該外側面に沿って延在させた補強用リブ４ｂが突設されており、補強用リブ４ｂには、当該補強用リブ４ｂよりも外方に向かって突出させた突出片４ｃが設けられている。なお、水槽本体の外側面とは、後述する底面部Ｐ１から側面部Ｐ２,Ｐ３に亘る領域の外側表面を指す。また、補強用リブ４ｂの出っ張らせ量（肉厚、幅など）については、例えば水槽本体４の大きさや形状や、水槽本体４全体に求められている強度レベルなどに応じて設定されるため、ここでは特に数値限定しない。
【００１６】
この場合、水槽本体４は、所定形状（すなわち、矩形状）の底面部Ｐ１と、底面部Ｐ１の周辺（すなわち、四辺）から連続して立ち上げられた側面部Ｐ２,Ｐ３とを有し、底面部Ｐ１と側面部Ｐ２,Ｐ３とで囲まれた領域の内部に液状体（排水、上澄液など）を収容可能に構成されている。この場合、側面部Ｐ２,Ｐ３は、底面部Ｐ１から立ち上げ方向に沿って末広がり状に展開した（拡大した）形状を成して構成することが好ましい。これにより、複数の水槽本体４を上下方向に、積み重ねたり、分離したりし易くすることができる。
【００１７】
具体的には、水槽本体４において、底面部Ｐ１は、向かい合う２辺の長さが等しい矩形状（すなわち、長方形）を成しているとともに、側面部Ｐ２,Ｐ３は、一対の短辺から連続して立ち上げられた一対の短辺側面部Ｐ２と、一対の長辺から連続して立ち上げられた一対の長辺側面部Ｐ３とを有している。
【００１８】
一対の短辺側面部Ｐ２には、水槽本体４の開口４ａ側から底面部Ｐ１に向けて延在させた少なくとも１つの補強用リブ４ｂが突設されているとともに、一対の長辺側面部Ｐ３には、水槽本体４の開口４ａ側から底面部Ｐ１に向けて延在させた複数の補強用リブ４ｂが所定間隔で互いに平行に突設されている。
【００１９】
また、一対の短辺側面部Ｐ２に延在させた少なくとも１つの補強用リブ４ｂは、これと同数の補強用リブ４ｂを底面部Ｐ１に延在させることで、当該補強用リブ４ｂを介して相互に連続している。また、一対の長辺側面部Ｐ３に延在させた複数の補強用リブ４ｂは、これと同数の補強用リブ４ｂを底面部Ｐ１に延在させることで、当該補強用リブ４ｂを介して相互に連続している。
【００２０】
この場合、上記した各面部Ｐ１,Ｐ２,Ｐ３に突設させる補強用リブ４ｂは、水槽本体４の底面部Ｐ１から側面部Ｐ２,Ｐ３に亘る領域に沿って、これを縦横に横断するように設けることが可能であり、このとき、その補強用リブ４ｂは、水槽本体４の底面部Ｐ１から側面部Ｐ２,Ｐ３に亘る領域に沿って、連続的または断続的に延在させるようにすることが可能である。要するに、各面部Ｐ１,Ｐ２,Ｐ３に突設させる補強用リブ４ｂは、水槽本体４の底面部Ｐ１から側面部Ｐ２,Ｐ３に亘る領域を、その外側から抱きかかえるように延在させればよい。
【００２１】
図面では一例として、一対の短辺側面部Ｐ２には、その中央部分に沿って、水槽本体４の開口４ａ側から底面部Ｐ１に向けて延在させた１つの補強用リブ４ｂが突設されているとともに、各補強用リブ４ｂは、底面部Ｐ１の中央部分に沿って短辺側面部Ｐ２相互間に延在させた１つの補強用リブ４ｂを介して相互に連続している。
【００２２】
また、一対の長辺側面部Ｐ３には、これを等間隔した部分に沿って、水槽本体４の開口４ａ側から底面部Ｐ１に向けて延在させた補強用リブ４ｂが合計４つ突設されているとともに、各補強用リブ４ｂは、底面部Ｐ１を等間隔した部分に沿って長辺側面部Ｐ３相互間に延在させた４つの補強用リブ４ｂを介して相互に連続している。
【００２３】
さらに、突出片４ｃは、水槽本体４の上部あるいはその近傍領域に沿って、上記した補強用リブ４ｂよりも外方に向かって突出させた状態で、開口４ａを挟んでその両側に対向し、かつ、互いに平行な位置関係を成して設けられている。なお、突出片４ｃの大きさや形状については、例えば水槽本体４および補強用リブ４ｂの大きさや形状に応じて設定されるため、ここでは特に限定しない。
【００２４】
以上、本実施形態のスタッキング式水槽によれば、補強用リブ４ｂを水槽本体４の外側面（すなわち、底面部Ｐ１から側面部Ｐ２,Ｐ３に亘る領域の外側表面）に沿って延在させたことで、水槽本体４全体の強度的な補強を確保することができる。これにより、早期の劣化を防止して、水槽本体２を長期に亘って一定の形状に維持することができる。
【００２５】
また、従来の水槽では、図４に示すように、複数の水槽本体２を積み重ねた場合、上下方向に隣り合った上側の水槽本体２の外側面Ｓ１と、その下側に隣接する水槽本体２の内側面Ｓ２とが、その大部分に亘る領域で互いに接触し、接触面積が大きかったため、摩擦抵抗が増大し、これにより、各水槽本体２をスムーズに分離することが困難となり、使い勝手の悪いものとなっていた。
【００２６】
これに対して、本実施形態のスタッキング式水槽では、補強用リブ４ｂを水槽本体４の外側面（すなわち、底面部Ｐ１から側面部Ｐ２,Ｐ３に亘る領域の外側表面）よりも出っ張らせた状態で、当該外側面に沿って延在させ、当該補強用リブ４ｂよりも外方に向かって突出させた突出片４ｃを設けたことで、複数の水槽本体４を上下方向に沿って１列に積み重ねた状態において、その上側の水槽本体４の突出片４ｃが、下側に隣接する水槽本体４の上部端面４ｔに当接するとともに、当該上側の水槽本体４の補強用リブ４ｂのみが、下側に隣接する水槽本体４の内側面（すなわち、側面部Ｐ２,Ｐ３）に当接する。
【００２７】
これによれば、上下に隣接する水槽本体４相互の接触面積を大幅に削減することが可能となり、よって、摩擦抵抗を大幅に低減させることができるため、各水槽本体４をスムーズに分離することが可能となり、その結果、使い勝手の良好なスタッキング式水槽を実現することができる。
【００２８】
さらに、本実施形態のスタッキング式水槽によれば、突出片４ｃを補強用リブ４ｂから外方に向かって突出させて設けたことで、当該突出片４ｃの周辺近傍の強度を向上させることができる。これにより、複数の水槽本体４を上下方向に積み重ねた状態において、上側に重なった各水槽本体４の総重量に対応した外力が各係止片４ｂに作用して、その近傍に応力が集中した場合でも、当該応力は、補強用リブ４ｂによって吸収除去されるため、当該各係止片４ｂの近傍が早期に劣化することはなく、その結果、当該スタッキング式水槽（水槽本体４）を長期に亘って連続して使用し続けることができる。
【００２９】
なお、上記した実施形態では、図面上、突出片４ｃを水槽本体４の上部端面４ｔに接近させた位置に設けた場合を例示したが、これに限定されることはなく、例えば図３に示すように、水槽本体４の上部端面４ｔから離間させた位置に突出片４ｃを設けるようにしてもよい。要するに、突出片４ｃの位置は、例えば水槽本体４の大きさや形状、スタッキング式水槽としての使用目的や使用環境に応じて設定すればよい。
【００３０】
また、上記した実施形態では、その全体が矩形状を成す水槽本体４を例示して説明したが、これに限定されることはなく、例えばその全体が丸味を帯びた形状など、スタッキング式水槽としての使用目的や使用環境に応じて、水槽本体４を任意の形状に設計することができることは言うまでもない。
【符号の説明】
【００３１】
４  水槽本体
４ａ  開口
４ｂ  補強用リブ
４ｃ  突出片
４ｔ  上部端面
Ｐ１  底面部
Ｐ２  短辺側面部
Ｐ３  長辺側面部
【図１】
0003185794.tif 000003
【図２】
0003185794.tif 000004
【図３】
0003185794.tif 000005
【図４】
0003185794.tif 000006